(57)【特許請求の範囲】
【請求項１】
映像を表示する表示パネルと、該表示パネルに対向する導光板と、該導光板及び表示パネルを囲繞する枠状のキャビネットと、該キャビネット内にて前記導光板の周囲に配置された光源とを備える表示装置において、
前記キャビネット内に設けてあり、前記光源から前記表示パネルへの光を遮断する遮光部材を備え、
前記キャビネットに係合する係合部を前記遮光部材に設けてあり、
前記係合部が係合する被係合部を前記キャビネットに設けてあり、
前記被係合部は前記キャビネットの周方向に沿って形成された溝であり、
前記遮光部材は、
前記溝に沿って延びる本体部と、
該本体部の長辺部分から前記キャビネット側に突出しており、前記キャビネットに取り付ける取付部と
を有し、
前記係合部は前記取付部の突出端部に形成された爪部であり、
前記爪部が前記溝に係合するようにしてあり、
前記本体部における前記爪部に対応する部分に孔が設けてあること
を特徴とする表示装置。
【請求項２】
前記表示パネルの縁部分に前記表示パネルを駆動する駆動回路が設けてあり、
前記本体部における前記駆動回路に対応する部分に切欠又は穴が設けてあること
を特徴とする請求項１に記載の表示装置。
【請求項３】
前記遮光部材の位置決めを行う位置決め凹部が前記キャビネットに設けてあり、
前記位置決め凹部に係止する位置決め突起が前記本体部に設けてあること
を特徴とする請求項１又は２に記載の表示装置。
【請求項４】
請求項１から３のいずれか一つに記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、光源の光を導光板を介して表示パネルに照射する表示装置及びテレビジョン放送に基づいて前記表示装置に映像を表示するテレビジョン受信機に関し、特に光源の光が表示パネルに直接侵入することを防止するものに関する。
【背景技術】
【０００２】
表示画面の大きさに比べて室内の占有面積が小さい薄型の液晶表示装置は、限られた室内空間を有効に利用することができることから、一般に広く普及している。液晶表示装置は、キャビネットの内側に配置された映像を表示する液晶表示パネルに、光源からの光を出射し、映像を表示するように構成されている。
【０００３】
近年、更なる消費電力の削減及び薄型化を図るべく、いわゆるエッジライト方式の液晶表示装置が製造されている。エッジライト方式では、液晶表示パネルの背面に対向させて導光板が設けてあり、該導光板の周縁部に光源が設けられ、光源の光は導光板を介して液晶表示パネルに出射される。
【０００４】
光源から発せられた光は拡散するため、一部の光が導光板を通過することなく、液晶表示パネルに直接侵入するか又は、液晶表示パネル及びキャビネットの隙間から漏出することがある。
【０００５】
特許文献１には、光源である蛍光管の周囲に導光板の縁部分まで延出した反射板を設け、該反射板及び導光板の間に遮光部材を設けた液晶表示装置が開示してある。拡散した光の進行は遮光部材によって妨げられるので、光の漏出を防ぐことができる。
【先行技術文献】
【特許文献】
【０００６】
【特許文献１】特開２００１−１１７０９７号公報
【発明の概要】
【発明が解決しようとする課題】
【０００７】
遮光部材は導光板の縁部分に沿って延びており、両面テープによって反射板及び導光板に貼付してある。両面テープを介して反射板及び導光板に遮光部材を貼付する作業は長時間を要し、液晶表示装置の製造効率が低下する。
【０００８】
本発明は斯かる事情に鑑みてなされたものであり、短時間で遮光部材を取り付けることができる表示装置及び該表示装置を備えるテレビジョン受信機を提供することを目的とする。
【課題を解決するための手段】
【０００９】
本発明に係る表示装置は、映像を表示する表示パネルと、該表示パネルに対向する導光板と、該導光板及び表示パネルを囲繞する枠状のキャビネットと、該キャビネット内にて前記導光板の周囲に配置された光源とを備える表示装置において、前記キャビネット内に設けてあり、前記光源から前記表示パネルへの光を遮断する遮光部材を備え、前記キャビネットに係合する係合部を前記遮光部材に設けてあり、前記係合部が係合する被係合部を前記キャビネットに設けてあり、前記被係合部は前記キャビネットの周方向に沿って形成された溝であり、前記遮光部材は、前記溝に沿って延びる本体部と、該本体部の長辺部分から前記キャビネット側に突出しており、前記キャビネットに取り付ける取付部とを有し、前記係合部は前記取付部の突出端部に形成された爪部であり、前記爪部が前記溝に係合するようにしてあり、前記本体部における前記爪部に対応する部分に孔が設けてあることを特徴とする。
【００１２】
本発明に係る表示装置は、前記表示パネルの縁部分に前記表示パネルを駆動する駆動回路が設けてあり、前記本体部における前記駆動回路に対応する部分に切欠又は穴が設けてあることを特徴とする。
【００１３】
本発明に係る表示装置は、前記遮光部材の位置決めを行う位置決め凹部が前記キャビネットに設けてあり、前記位置決め凹部に係止する位置決め突起が前記本体部に設けてあることを特徴とする。
【００１４】
本発明に係るテレビジョン受信機は、前述したいずれかの表示装置と、テレビジョン放送を受信する受信部とを備え、前記受信部にて受信したテレビジョン放送に基づいて、前記表示装置に映像を表示するようにしてあることを特徴とする。
【００１５】
本発明においては、遮光部材に係合部を設け、導光板及び表示パネルを囲繞するキャビネットに被係合部を設けてある。表示装置の組立時において、作業者は係合部を被係合部に係合させて、遮光部材をキャビネットに取り付ける。
【００１６】
本発明においては、遮光部材に設けた爪部がキャビネットに形成した溝に係合し、遮光部材の取付が短時間で実現される。
【００１７】
本発明においては、本体部に孔を設けて可撓性を大きくし、容易に爪を溝に係合させる。
【００１８】
本発明においては、本体部に切欠又は穴を形成することによって、駆動回路を切欠又は穴に位置させ、遮光部材と駆動回路との干渉回避を実現する。
【００１９】
本発明においては、キャビネットに設けた位置決め凹部に本体部の位置決め突起を係止させて、遮光部材のキャビネットに対する位置決めを容易且つ確実に行う。
【発明の効果】
【００２０】
本発明に係る表示装置及びテレビジョン受信機にあっては、遮光部材に係合部を設け、導光板及び表示パネルを囲繞するキャビネットに被係合部を設けてある。表示装置の組立時において、作業者は係合部を被係合部に係合させるだけで、遮光部材をキャビネットに取り付けることができ、短時間で取付作業を終了することができる。
【図面の簡単な説明】
【００２１】
【図１】テレビ受信機を略示する斜視図である。
【図２】前キャビネット、表示パネル、支持部材、導光板及びＬＥＤユニットを略示する分解斜視図である。
【図３】後方から見た前キャビネットを示す斜視図である。
【図４】図３においてＡで示した部分の拡大図である。
【図５】後方から見た支持部材を略示する斜視図である。
【図６】図５においてＢで示した部分の拡大図である。
【図７】前方から見た支持部材の一端部を略示する部分拡大斜視図である。
【図８】図６にて示すＶＩＩＩ−ＶＩＩＩ線での略示断面図である。
【図９】図６にて示すＸＩ−ＸＩ線での略示断面図である。
【図１０】図６にて示すＸ−Ｘ線での略示断面図である。
【図１１】表示パネルを取り付けた前キャビネットの下部と支持部材とを略示する斜視図である。
【図１２】図８に対応したテレビジョン受信機の略示部分拡大縦断面図である。
【図１３】図９に対応したテレビジョン受信機の略示部分拡大縦断面図である。
【図１４】図１０に対応したテレビジョン受信機の略示部分拡大縦断面図である。
【発明を実施するための形態】
【００２２】
以下本発明を実施の形態に係るテレビジョン受信機を示す図面に基づいて詳述する。図１は、テレビジョン受信機を略示する斜視図である。以降、図において上下左右前後を矢印と共に示す。
【００２３】
図において１はテレビジョン受信機であり、該テレビジョン受信機１は、映像を表示する表示装置１００と、該表示装置１００内に配設してあり、アンテナ（不図示）から放送波（テレビジョン放送）を受信するチューナ（受信部）２００と、表示装置１００内に配設してあり、符号化された放送波を復号するデコーダ３００とを備える。テレビジョン受信機１は、チューナ２００にて受信した放送波をデコーダ３００で復号し、復号した情報に基づいて表示装置１００に映像を表示する。なおチューナ２００及びデコーダ３００を表示装置１００の外部に設けて、表示装置１００に接続してもよい。
【００２４】
表示装置１００は液晶を有する矩形の表示パネル１０を備えており、該表示パネル１０は液晶への印加電圧を制御して光の透過率を調整するように構成されている。表示パネル１０は、前後に配置された前キャビネット２０及び後キャビネット３０において、縦向きに収容されている。前キャビネット２０は矩形の枠状をなし、その中央部に矩形の開口２０ａを有する。前キャビネット２０は、例えばアルミニウム部材からなる。後キャビネット３０は、前側が開放された矩形のトレイ状をなし、例えば電気亜鉛めっき鋼板からなる。前キャビネット２０及び後キャビネット３０を金属にすることによって、効率の良い放熱を実現し、また両者の熱膨張係数の差を小さくして歪みの発生を防止することができる。なお前キャビネット２０及び後キャビネット３０を樹脂部材によって構成してもよい。
【００２５】
前キャビネット２０及び後キャビネット３０の上下及び左右寸法は略同じであり、互いの周縁部分が対向する。表示パネル１０の上下及び左右寸法は、前記開口２０ａよりも若干大きく、表示パネル１０の周縁部分は前キャビネット２０の内縁部分に対向している。
【００２６】
図２は、前キャビネット２０、表示パネル１０、支持部材５０（遮光部材）、導光板６０及びＬＥＤ(Light Emitting Diode)ユニット７０を略示する分解斜視図である。図２に示すように、表示パネル１０の周囲に導光板６０を支持する複数の支持部材５０が設けてある。支持部材５０は黒色の合成樹脂材からなり、表示パネル１０の左右縁部及び下縁部に沿って前キャビネット２０に設けてある。
【００２７】
支持部材５０の後側に矩形の導光板６０が設けてあり、該導光板６０は表示パネル１０の後面に対向している。導光板６０の前面には複数の光学シート６１が設けてある（後述する図１２〜図１４参照）。ＬＥＤユニット７０は、Ｌ形の放熱板７１と、該放熱板７１の一面に固定された基板７２と、該基板７２に実装した複数のＬＥＤ７３とを備える（図１２〜図１４参照）。放熱板７１は、Ｌ形の一端部が前側を向き、他端部が下側を向くように前キャビネット２０内に配置される。一端部には、適当な間隔を空けて切欠７１ａが形成してある。切欠７１ａは後述する駆動回路１２に対応した位置に設けてある（図１３参照）。ＬＥＤユニット７０は、ＬＥＤ７３が導光板６０の下側面に対向するように、導光板６０の下方に設けられる。
【００２８】
図３は、後方から見た前キャビネット２０を示す斜視図、図４は、図３においてＡで示した部分の拡大図である。前キャビネット２０は、表示パネル１０に平行な正面部分２１と、該正面部分２１から後方に突出しており、正面部分２１に略直角な突出部分２６とを備える（図１２〜図１４参照）。正面部分２１の後面に支持部材５０が取り付けられる被取付部２２が設けてある。
【００２９】
被取付部２２は、開口２０ａの縁部分に平行なレール状をなし、正面部分２１の全周に亘って設けてある。被取付部２２における長手方向に平行な両側面において、正面部分２１との連結部分に、被取付部２２に平行な溝２５、２５がそれぞれ設けてある（図１２〜図１４参照）。図４に示すように、被取付部２２の下部における左右方向中央部に、後述する位置決め突起５６が係止する二つの位置決め凹部２４、２４が左右に並設してある。
【００３０】
図５は、後方から見た支持部材５０を略示する斜視図、図６は、図５においてＢで示した部分の拡大図、図７は、前方から見た支持部材５０の一端部を略示する部分拡大斜視図、図８は、図６にて示すＶＩＩＩ−ＶＩＩＩ線での略示断面図、図９は、図６にて示すＸＩ−ＸＩ線での略示断面図、図１０は、図６にて示すＸ−Ｘ線での略示断面図である。
【００３１】
図６に示すように、支持部材５０は細長い矩形板状の本体部５１を備えており、該本体部５１には、長手方向に沿って略同じ間隔を空けて複数の切欠５３、５３、・・・、５３が形成してある。切欠５３は、本体部５１の一方の長辺に形成してあり、後述する駆動回路１２に対応した位置に配してある。本体部５１の一端部には、四つの貫通孔５５、５５、５５、５５が格子状に設けてある。図７に示すように、貫通孔５５の縁部分から十字状をなす位置決め突起５６が前方に突出している。位置決め突起５６は前述した位置決め凹部２４に係止する。四つの貫通孔５５による格子形状は位置決め突起５６の位置を示す目印となる。そのためテレビジョン受信機１の組立時において、作業者は位置決め突起５６の位置を容易に認識することができるので、位置決め突起５６を位置決め凹部２４に迅速に係止させて、組立作業の効率を向上させることができる。
【００３２】
図６に示すように、切欠５３付近を除いた本体部５１の各長辺部分に、前方に突出しており、前記本体部５１に略直角な板状の取付部５２、５２が形成してある。切欠５３に隣接する一方の本体部５１に、二つのスリット５４、５４（孔）が長手方向に直角な方向に沿って並設されている。スリット５４は長手方向に沿って延びている。なお切欠５３に隣接する他方の本体部５１にスリット５４は形成されていない。また切欠５３に隣接する他方の本体部５１が前記一端部である場合、前述したように貫通孔５５が設けてある。
【００３３】
図８に示すように、スリット５４を設けた本体部５１から突出した各取付部５２、５２において、その突出端部に互いに向けて突出した爪部５２ａ、５２ａが形成してある。図８の矢印にて示すように、スリット５４によって本体部５１は各爪部５２ａ、５２ａが互いに離反する方向に容易に撓む。図９に示すように、本体部５１の切欠５３を設けた部分には、後述するＳＯＦ１１及び駆動回路１２を収容することが可能な空間が形成されている。図１０に示すように、スリット５４及び切欠５３を設けていない本体部５１からは、取付部５２、５２が突出しており、この取付部５２、５２の突出端部には爪部５２ａ、５２ａを形成していない。
【００３４】
次にテレビジョン受信機１の組立、特に支持部材５０の前キャビネット２０への取付について説明する。図１１は、表示パネル１０を取り付けた前キャビネット２０の下部と支持部材５０とを略示する斜視図、図１２は、図８に対応したテレビジョン受信機１の略示部分拡大縦断面図、図１３は、図９に対応したテレビジョン受信機１の略示部分拡大縦断面図、図１４は、図１０に対応したテレビジョン受信機１の略示部分拡大縦断面図である。なお図１２〜図１４において後キャビネットの記載は省略している。
【００３５】
図１１に示すように、表示パネル１０の周縁部には複数のＳＯＦ (System on film) １１、ＳＯＦ１１、・・・、ＳＯＦ１１が設けてあり、ＳＯＦ１１は表示パネル１０から外側に延出している。表示パネル１０の下部において、ＳＯＦ１１には表示パネル１０の液晶素子を駆動する駆動回路１２が実装してある。前キャビネット２０に表示パネル１０が取り付けられた場合、ＳＯＦ１１は被取付部２２及び支持部２３上に位置し、駆動回路１２は支持部２３上に位置する。表示パネル１０を前キャビネット２０に取り付けた後、作業者は支持部材５０を被取付部２２に取り付ける。
【００３６】
作業者は、切欠５３を下側にして、位置決め突起５６を位置決め凹部２４に係止させる。支持部材５０のスリット５４、５４付近を前方へ押圧し、本体部５１を撓ませる。このとき各爪部５２ａ、５２ａは互いに離反し、被取付部２２を乗り越えて溝２５、２５に係合する（図１２参照）。図１２〜図１４に示すように、支持部材５０は表示パネル１０の縁部分の直前で該縁部分に対向する。また図１３に示すように、ＳＯＦ１１及び駆動回路１２は本体部５１と正面部分２１との間に位置決めされ、更に駆動回路１２は切欠５３の内側に位置決めされる。
【００３７】
その後、作業者は光学シート６１及び光板を本体部５１上に設け、ＬＥＤ７３が導光板６０の下側面に対向するように、放熱板７１の先端部を支持部２３の間に挿入し、ＬＥＤユニット７０を前キャビネット２０に仮止めする。放熱板７１の下方に駆動回路１２に各種信号を出力するプリント基板９０を設け、ＳＯＦ１１に接続する（図１３参照）。リヤシャーシ８０を導光板６０及び前キャビネット２０の後側に設けて、前キャビネット２０にねじ止めする。そして後キャビネット３０をリヤシャーシ８０の後側に設けて、前キャビネット２０に連結する。
【００３８】
表示パネル１０の縁部分の直前に支持部材５０が配してあるので、図１２〜図１４の矢印にて示すように、ＬＥＤ７３から表示パネル１０に向けて出射した光は支持部材５０によってその進行が妨げられ、表示パネル１０に侵入しない。支持部材５０は、ＬＥＤ７３から表示パネル１０に向かう光を遮断する。
【００３９】
実施の形態に係るテレビジョン受信機１にあっては、支持部材５０に爪部５２ａ、５２ａを設け、導光板６０及び表示パネル１０を囲繞する前キャビネット２０に溝２５、２５を設けてある。テレビジョン受信機１の組立時において、作業者は爪部５２ａ、５２ａを溝２５、２５に係合させるだけで、支持部材５０を前キャビネット２０に取り付けることができ、短時間で取付作業を終了することができる。
【００４０】
また本体部５１にスリット５４を設けて撓み易くし、容易に爪部５２ａ、５２ａを溝２５、２５に係合させることができる。また本体部５１に切欠５３を形成することによって、駆動回路１２を切欠５３の内側に位置させ、支持部材５０が駆動回路１２に接触することを防止し、両者の干渉回避を実現することができる。更に前キャビネット２０に設けた位置決め凹部２４に本体部５１の位置決め突起５６を係止させて、支持部材５０の前キャビネット２０に対する位置決めを容易且つ確実に行うことができる。
【００４１】
なお光源はＬＥＤ７３に限らず、冷陰極蛍光管、熱陰極蛍光管、白熱球及びＥＬ(Electroluminescence)等でもよい。実施の形態においては、本体部５１における駆動回路１２に対応する箇所に切欠５３を形成し、該切欠５３の内側に駆動回路１２を配してあるが、切欠５３に限定されず、駆動回路１２が内側に配置されるように穴を形成してもよい。実施の形態においては、スリット５４及び切欠５３を設けていない本体部５１から突出した取付部５２、５２に爪部５２ａ、５２ａを設けていないが、爪部５２ａ、５２ａを設けてもよい。またスリット５４は二つに限定されず、単数又は三つ以上であってもよい。また実施の形態において、取付部５２は本体部５１に対して略直角であるが、直角に限定されず、本体部５１に対して傾斜していてもよい。
【００４２】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００４３】
１  テレビジョン受信機
１０  表示パネル
１２  駆動回路
２０  前キャビネット（キャビネット）
２４  位置決め凹部
２５  溝
３０  後キャビネット
５０  支持部材（遮光部材）
５１  本体部
５２  取付部
５２ａ  爪部
５３  切欠
５４  スリット（孔）
５６  位置決め突起
６０  導光板
７３  ＬＥＤ（光源）
２００  チューナ（受信部）
【要約】
【課題】短時間で遮光部材を取り付けることができる表示装置及び該表示装置を備えるテレビジョン受信機を提供する。
【解決手段】支持部材５０に爪部５２ａ、５２ａを設け、導光板６０及び表示パネル１０を囲繞する前キャビネット２０に溝２５、２５を設けてある。テレビジョン受信機の組立時において、作業者は爪部５２ａ、５２ａを溝２５、２５に係合させるだけで、支持部材５０を前キャビネット２０に取り付けることができ、短時間で取付作業を終了することができる。
【選択図】図１２【図１】
0005166614.tif 000002
【図２】
0005166614.tif 000003
【図３】
0005166614.tif 000004
【図４】
0005166614.tif 000005
【図５】
0005166614.tif 000006
【図６】
0005166614.tif 000007
【図７】
0005166614.tif 000008
【図８】
0005166614.tif 000009
【図９】
0005166614.tif 000010
【図１０】
0005166614.tif 000011
【図１１】
0005166614.tif 000012
【図１２】
0005166614.tif 000013
【図１３】
0005166614.tif 000014
【図１４】
0005166614.tif 000015